(57)【特許請求の範囲】
【請求項１】
電子機器のユニットに、
前記電子機器の機能の調整値を記憶する調整値記憶手段と、
前記電子機器と前記電子機器の機能を診断する診断装置との接続の有無を確認する接続確認手段と、
前記接続確認手段による確認結果を記憶する確認結果記憶手段と、
前記電子機器の主電源を遮断した後、主電源の投入がなされた場合に、主電源投入時の前記接続確認手段による確認結果と、前記確認結果記憶手段に記憶された前回の主電源投入中の確認結果とを比較して、接続状態を判定する接続状態判定手段と、
前記接続状態判定手段が、前回の主電源投入中には前記診断装置が接続されていたが、主電源遮断を経た後の主電源投入時には前記診断装置が接続されていないと判定した場合に、前記調整値記憶手段に記憶された調整値を変化させる調整値変更手段と、
が設けられていることを特徴とする電子機器の調整値設定システム。
【請求項２】
前記接続状態判定手段が、前記確認結果記憶手段に記憶された確認結果に基づいて、前回の主電源投入中には前記診断装置が接続されていなかったと判定した場合には、前記調整値変更手段の作動を抑止する抑止手段が設けられていることを特徴とする請求項１記載の電子機器の調整値設定システム。
【請求項３】
前記調整値変更手段は、前記調整値記憶手段に記憶された内容を初期化するように設定されていることを特徴とする請求項１又は請求項２記載の電子機器の調整値設定システム。
【請求項４】
電子機器の機能の調整値を設定する方法において、
前記電子機器と前記電子機器の機能を診断する診断装置との接続の有無を確認するステップと、
前記確認結果を記憶するステップと、
前記診断装置によって前記電子機器の機能を診断した後に、前記電子機器の機能の調整値を記憶するステップと、
前記電子機器の主電源を遮断した後、主電源の投入がなされた場合に、主電源投入時の前記接続確認手段による確認結果と、前回の主電源投入中に記憶された確認結果とを比較して、接続状態を判定するステップと、
前回の主電源投入中には前記診断装置が接続されていたが、主電源遮断を経た後の主電源投入時には前記診断装置が接続されていないと判定した場合に、調整値を変化させるステップと、
を含むことを特徴とする電子機器の調整値設定方法。
【請求項５】
電子機器の調整値設定をコンピュータを用いて行うための電子機器の調整値設定用プログラムを記録した記録媒体において、
当該プログラムは前記コンピュータに、
前記電子機器と前記電子機器の機能を診断する診断装置との接続の有無を確認させ、
前記確認結果を記憶させ、
前記診断装置によって前記電子機器の機能を診断した後に、前記電子機器の機能の調整値を記憶させ、
前記電子機器の主電源を遮断した後、主電源の投入がなされた場合に、主電源投入時の前記接続確認手段による確認結果と、前回の主電源投入中に記憶された確認結果とを比較して、接続状態を判定させ、
前回の主電源投入中には前記診断装置が接続されていたが、主電源遮断を経た後の主電源投入時には前記診断装置が接続されていないと判定した場合に、調整値を変化させることを特徴とする電子機器の調整値設定用プログラムを記録した記録媒体。
【発明の詳細な説明】
【０００１】
【発明の属する技術分野】
本発明は、電子機器の機能を診断する際になされた調整値を、使用開始時に適した調整値に変更する技術に改良を施した電子機器の調整値設定システム、その設定方法及びその設定用プログラムを記録した記録媒体に関する。
【０００２】
【従来の技術】
近年の車載用の音響機器においては、ボリューム、バランス、フェダー等の調整は、ユーザからのスイッチ入力に基づいて制御回路が調整値を判断する電子制御によって行われている。かかる調整値の設定は、実際には、フロントパネルに設けられたつまみやボタンを、ユーザが操作することによって自らの好みの値にすることができる。しかし、ユーザが主電源をＯＦＦにする度に、それまでの調整値が消滅し、再度ＯＮにした時には、あらためて調整値を設定し直さなければならない場合には、作業が繁雑となる。このため、通常の音響機器は、主電源がＯＦＦとなってもバックアップ用電源によって記憶が保持される揮発性メモリに、調整値を記憶しておき、再度ＯＮとなった場合には、前回と同様の調整値で使用することができるように構成されている。
【０００３】
【発明が解決しようとする課題】
ところで、音響機器等の電子機器の製造を行う工場等においては、その製造工程の最終段階で、製造品が正常に動作するか否かの診断を行う。かかる診断は、例えば、車載用の音響機器においては、これに自己診断用の機器をバスを介して接続し、当該音響機器のボリューム、バランス、フェダー等の調整値を変化させることによって行われる。
【０００４】
しかしながら、かかる自己診断中における調整値の変化の幅は、通常の使用時の調整値の変化範囲よりも広いので、自己診断終了後は、例えば、ボリュームの調整値が最大となっている可能性がある。この調整値は、上述のように、揮発性メモリに記憶されるが、自己診断終了後、主電源をＯＦＦにしても、バックアップ電源によってこの記憶が保持される。このような状態のままで工場から出荷されれば、ユーザが製品を購入後、最初に使用する際、主電源をＯＮにすると、例えば、いきなりボリュームが最大となっているような場合があり、機器を傷める可能性がある。
【０００５】
これに対処するため、自己診断後、工場での出荷前に、例えばボリュームを最小の値とする等、調整値を初期化することが行われているが、かかる初期化設定を行うためには、自己診断用の機器に、初期設定用のコマンドを設定し、余分な操作、工程を追加する必要があるため、工場での作業が増加し、繁雑となる。
【０００６】
本発明は、以上のような従来技術の問題点を解決するために提案されたものであり、その目的は、自己診断終了時における調整値を、初期設定に直す工程を省きつつ、次回の主電源投入時において、確実に初期設定が実現できる電子機器の調整値設定システム、その設定方法及びその設定用プログラムを記録した記録媒体を提供することにある。
【０００７】
【課題を解決するための手段】
上記の目的を達成するために、請求項１記載の発明は、電子機器のユニットに、前記電子機器の機能の調整値を記憶する調整値記憶手段と、前記電子機器と前記電子機器の機能を診断する診断装置との接続の有無を確認する接続確認手段と、前記接続確認手段による確認結果を記憶する確認結果記憶手段と、前記電子機器の主電源を遮断した後、主電源の投入がなされた場合に、主電源投入時の前記接続確認手段による確認結果と、前記確認結果記憶手段に記憶された前回の主電源投入中の確認結果とを比較して、接続状態を判定する接続状態判定手段と、前記接続状態判定手段が、前回の主電源投入中には前記診断装置が接続されていたが、主電源遮断を経た後の主電源投入時には前記診断装置が接続されていないと判定した場合に、前記調整値記憶手段に記憶された調整値を変化させる調整値変更手段と、が設けられていることを特徴とする。
【０００８】
また、請求項４記載の発明は、請求項１記載の発明を、方法の観点から捉えたものであり、電子機器の機能の調整値を設定する方法において、前記電子機器と前記電子機器の機能を診断する診断装置との接続の有無を確認するステップと、前記確認結果を記憶するステップと、前記診断装置によって前記電子機器の機能を診断した後に、前記電子機器の機能の調整値を記憶するステップと、前記電子機器の主電源を遮断した後、主電源の投入がなされた場合に、主電源投入時の前記接続確認手段による確認結果と、前回の主電源投入中に記憶された確認結果とを比較して、接続状態を判定するステップと、前回の主電源投入中には前記診断装置が接続されていたが、主電源遮断を経た後の主電源投入時には前記診断装置が接続されていないと判定した場合に、調整値を変化させるステップと、を含むことを特徴とする。
【０００９】
請求項５記載の発明は、請求項１記載の発明を、コンピュータプログラムを記録した記録媒体の観点から捉えたものであり、電子機器の調整値設定をコンピュータを用いて行うための電子機器の調整値設定用プログラムを記録した記録媒体において、当該プログラムは前記コンピュータに、前記電子機器と前記電子機器の機能を診断する診断装置との接続の有無を確認させ、前記確認結果を記憶させ、前記診断装置によって前記電子機器の機能を診断した後に、前記電子機器の機能の調整値を記憶させ、前記電子機器の主電源を遮断した後、主電源の投入がなされた場合に、主電源投入時の前記接続確認手段による確認結果と、前回の主電源投入中に記憶された確認結果とを比較して、接続状態を判定させ、前回の主電源投入中には前記診断装置が接続されていたが、主電源遮断を経た後の主電源投入時には前記診断装置が接続されていないと判定した場合に、調整値を変化させることを特徴とする。
【００１０】
以上のような請求項１、請求項４及び請求項５記載の発明では、電子機器に対する診断装置による診断終了後、診断装置を電子機器から取り外し、電子機器の主電源を遮断して工場から出荷する。そして、ユーザが電子機器を入手後、主電源を投入した時には、診断装置が接続されていないので、調整値が自動的に変化して、診断時における調整値設定が維持された場合のような不都合の発生が防止される。
【００１１】
請求項２記載の発明は、請求項１記載の電子機器の調整値設定システムにおいて、前記接続状態判定手段が、前記確認結果記憶手段に記憶された確認結果に基づいて、前回の主電源投入中には前記診断装置が接続されていなかったと判定した場合には、前記調整値変更手段の作動を抑止する抑止手段が設けられていることを特徴とする。
【００１２】
以上のような請求項２記載の発明では、ユーザが２回目の主電源投入を行った場合には、調整値変更手段の作動が抑止されるので、前回使用した時の調整値が保持され、あらためて調整し直す手間が省ける。
【００１３】
請求項３記載の発明は、請求項１又は請求項２記載の電子機器の調整値設定システムにおいて、前記調整値変更手段は、前記調整値記憶手段に記憶された内容を初期化するように設定されていることを特徴とする。
【００１４】
以上のような請求項３記載の発明では、ユーザが電子機器を購入後、主電源を投入した時には、診断装置が接続されていないので、調整値が初期化される。従って、例えば、診断時においてボリューム等が最大となっていても、ユーザによる最初の主電源投入時には、自動的に最小となり、機器の故障が防止される。
【００１５】
【発明の実施の形態】
本発明の実施の形態について、図面を参照して説明する。
【００１６】
（１）実施の形態の構成
１−１．全体的構成
本実施の形態の電子機器の調整値設定システムは、図１の全体構成図に示すように、車載用の音響機器を制御するセンターユニット１内に構成されている。本実施の形態においては、センターユニット１に対して、ＣＤプレーヤ２とＭＤプレーヤ３がバス４を介して外部から接続される構成となっている。また、センターユニット１には、自己診断ユニット５も、バス４を介して外部から接続可能に設けられている。さらに、センターユニット１は、主電源供給ライン６を介して主電源に接続されている。
【００１７】
センターユニット１には、バックアップ電池１０、電源回路１１、制御回路１２、揮発性メモリ１３、不揮発性メモリ１４、送受信部１５及び操作部１６が設けられている。バックアップ電池１０は、主電源との接続が解除された場合にも、揮発性メモリ１３の記憶を保持するための電池である。このバックアップ電池１０は、主電源との接続時には、主電源によって充電されるように、主電源供給ライン６に接続される構成となっている。電源回路１１は、主電源及びバックアップ電池１０から制御回路１２及び揮発性メモリ１３への電源供給を調整する回路である。
【００１８】
揮発性メモリ１３は、ボリューム、バランス、フェダー等の調整値を記憶するメモリである。不揮発性メモリ１４は、バス４を介してＣＤプレーヤ、ＭＤプレーヤ、自己診断ユニット５から入力された識別番号を記憶するメモリである。送受信部１５は、バス４を介して、ＣＤプレーヤ２、ＭＤプレーヤ３及び自己診断ユニット５との間での情報の送受信を行うものである。操作部１６は、ユーザが、センターユニット１のフロントパネルに設けられたボタン等を操作することによって、ボリューム、バランス、フェダー等の調整値を、制御回路１２に入力できるスイッチである。
【００１９】
一方、ＣＤプレーヤ２、ＭＤプレーヤ３及び自己診断ユニット５には、それぞれのユニットの制御回路２０，３０，５０と、それぞれの識別番号を記憶した識別番号記憶部２１，３１，５１と、センターユニット１との間での情報の送受信を行う送受信部２２，３２，５２が設けられている。
【００２０】
１−２．センターユニット１の制御回路の構成
以上のようなセンターユニット１の制御回路１２が、調整値を設定するために備えている機能について、図１に基づいて説明する。これらの制御回路が備えている機能は、実際には、各ユニット内に搭載されたマイクロコンピュータを、組み込みプログラムなどのソフトウェアで制御することで実現される。
【００２１】
この場合、どんな種類のＣＰＵを使うか、どんな種類のプログラミングシステムを使うか、ソフトウェアはＲＯＭチップに記録しておくのか、ＣＤ−ＲＯＭのような記録媒体から読み込んで実行するのか、といった具体的な構成はいろいろ考えられる。このため、図１では、それぞれ一定の機能を果たす仮想的回路ブロックを用いて本実施形態を説明する。なお、制御回路１２における一般の音響機器としての機能部分は、説明を省略する。
【００２２】
すなわち、図１に示すように、制御回路１２には、調整値制御手段１２ａ、接続確認手段１２ｂ、接続状態判定手段１２ｃ、調整値変更手段１２ｄ及び抑止手段１２ｅが設けられている。調整値制御手段１２ａは、操作部１６からの入力に応じて、センターユニット１のボリューム、バランス、フェダー等の調整値を制御する手段である。接続確認手段１２ｂは、バス４を介してＣＤプレーヤ２、ＭＤプレーヤ３及び自己診断ユニット５から入力された識別番号に基づいて、センターユニット１に対する外部機器の接続の有無を確認する手段である。接続状態判定手段１２ｃは、不揮発性メモリ１３に記憶された識別番号と、ユーザが主電源をＯＮにした時に接続確認手段１２ｂによって確認された識別番号とに基づいて、センターユニット１に対する外部機器の接続状態を判定する手段である。
【００２３】
調整値変更手段１２ｄは、接続状態判定手段１２ｃが、前回の主電源のＯＮ時には自己診断ユニット５が接続されていたが、主電源を遮断した後、今回主電源のＯＮ時には、自己診断ユニット５が接続されていないと判定した場合に、揮発性メモリ１３に記憶された調整値を初期化する手段である。抑止手段１２ｅは、不揮発性メモリ１４に記憶された識別番号に基づいて、接続状態判定手段１２ｃが、前回の主電源のＯＮ時には、自己診断ユニット５が接続されていないと判定した場合に、調整値変更手段１２ｄの作動を抑止する手段である。
【００２４】
（２）実施の形態の作用
以上のような構成を有する本実施の形態の作用を、図２のフローチャートを参照して説明する。すなわち、工場等において、主電源投入後（ステップ２０１）、主電源７に接続されたセンターユニット１に対して、ＣＤプレーヤ２、ＭＤプレーヤ３、自己診断ユニット５をバス４を介して接続すると、バス４を介してＣＤプレーヤ２、ＭＤプレーヤ３、自己診断ユニット５の識別番号が制御回路１２に入力され、接続確認手段１２ｂがこれらの識別番号を取得する（ステップ２０２）。
【００２５】
そして、接続状態判定手段１２ｂによって、不揮発性メモリ１４には識別番号の記憶がないことが判定され（ステップ２０３）、抑止手段１２ｅによって、調整値変更手段１２ｄの作動が抑止される。さらに、接続確認手段１２ｂによって、今回取得した識別番号には、自己診断ユニット５の識別番号が存在することが確認され（ステップ２０５）、入力された識別番号は、不揮発性メモリ１４に記憶される（ステップ２０６）。
【００２６】
次に、不揮発性メモリ１４に記憶された識別番号に基づいて、接続状態判定手段１２ｃによって、ＣＤプレーヤ２、ＭＤプレーヤ３、自己診断ユニット５が接続状態にあると判定され、制御回路１２による制御対象が決定される（ステップ２０７）。そして、自己診断ユニット５が、コマンドを送信することによって、揮発性メモリ１３に記憶されたボリューム、バランス、フェダー等の調整値を変化させて自己診断を行う（ステップ２０８）。この自己診断において変更されたボリューム、バランス、フェダー等の調整値は、診断終了後も揮発性メモリ１３に保持される（ステップ２０９）。
【００２７】
その後、センターユニット１は、ＣＤプレーヤ２、ＭＤプレーヤ３及び自己診断ユニット５との接続が解除されるとともに、主電源との接続が解除される（ステップ２１０）。このとき、揮発性メモリ１３に記憶された調整値は、バックアップ電池１０によって保持される。また、このように自己診断を終えたセンターユニット１、ＣＤプレーヤ２及びＭＤプレーヤ３は、それぞれ梱包されて、工場から出荷され、ユーザの手元に配送される。
【００２８】
以上の手順を経た後、ユーザが、センターユニット１、ＣＤプレーヤ２及びＭＤプレーヤ３をバス４によって接続し、主電源を投入すると（ステップ２０１）、バス４を介してＣＤプレーヤ２、ＭＤプレーヤ３の識別番号が制御回路１２に入力され、接続確認手段１２ｂが、これらの識別番号を取得する（ステップ２０２）。このとき、接続状態判定手段１２ｃによって、不揮発性メモリ１４に記憶された識別番号に基づいて、前回の主電源のＯＮ時には、自己診断ユニット５が接続されていたと判定され（ステップ２０３）、調整値変更手段１２ｄが、揮発性メモリ１３に記憶された調整値を初期化する（ステップ２０４）。
【００２９】
そして、接続状態確認手段１２ｂによって、今回取得した識別番号には自己診断ユニット５の識別番号が存在しないことが確認され（ステップ２０５）、取得した識別番号が不揮発性メモリ１４に書き込まれる（ステップ２１１）。さらに、不揮発性メモリ１４に記憶された識別番号に基づいて、接続状態判定手段１２ｃによって、ＣＤプレーヤ２、ＭＤプレーヤ３が接続状態にあると判定され、制御回路１２による制御対象が決定される（ステップ２１２）。
【００３０】
その後、ユーザが操作部１６を操作することによって、ＣＤプレーヤ２、ＭＤプレーヤ３を使用する（ステップ２１３）。このユーザ使用において変更されたボリューム、バランス、フェダー等の調整値は、揮発性メモリ１３に記憶される（ステップ２１４）。ユーザは、機器使用後、主電源を遮断するが（ステップ２１５）、このとき、揮発性メモリ１３に記憶された調整値は、バックアップ電池１０によって保持される。
【００３１】
次に、ユーザが機器を使用するために主電源を投入すると、バス４を介してＣＤプレーヤ２、ＭＤプレーヤ３の識別番号が制御回路１２に入力され、接続確認手段１２ｂが、これらの識別番号を取得する（ステップ２０２）。このとき、接続状態判定手段１２ｃによって、不揮発性メモリ１４に記憶された識別番号に基づいて、前回の主電源のＯＮ時にも、自己診断ユニット５が接続されていなかったと判定されるので（ステップ２０３）、抑止手段１２ｅによって、調整値変更手段１２ｄの作動が抑止される。そして、接続確認手段１２ｂによって、今回取得した識別番号に、自己診断ユニット５の識別番号が存在しないと判定され（ステップ２０５）、取得された識別番号が、不揮発性メモリ１４に書き込まれる（ステップ２１１）。そして、ステップ２１２以降の手順が行われるが、このとき、ユーザは、前回使用した時の調整値を保持した状態で使用を開始することができる。
【００３２】
さらに、上記のフローチャートから明らかな通り、前回の主電源ＯＮ時に自己診断を行い、今回の主電源ＯＮ時にも自己診断を行う場合には、ステップ２０５において今回の自己診断に移行する前に、あらかじめ前回自己診断ユニットが接続されていたと判定され、揮発性メモリが初期化されることになる（ステップ２０３，２０４）。
【００３３】
（３）実施の形態の効果
以上のような本実施の形態の効果は、以下の通りである。すなわち、製造工程での自己診断において、揮発性メモリの初期化を行う必要がない。従って、自己診断用の機器に、特別のコマンドを追加して、余分な操作、工程を行う必要がなくなり、工場での作業が簡略化される。
【００３４】
また、ユーザが製品を購入後、最初に使用する際には、必ず調整値が初期化されるので、いきなりボリュームが最大となっているような場合が防止され、機器を傷める可能性がない。
【００３５】
また、２回目以降の使用時には、初回の使用時に、ユーザが操作することによって自らの好みの値に設定した調整値が、そのまま保持されるので、あらためて調整値を設定し直す必要がない。
【００３６】
さらに、前回自己診断ユニットによる自己診断が行われていた場合には、今回の使用時には、必ず揮発性メモリの初期化が行われる。従って、前回行った自己診断の種別を変更して、今回は前回と種別の異なる自己診断を行いたい場合には、今回の自己診断を行う前に、あらかじめ揮発性メモリが初期化されることになり、使い勝手が向上する。
【００３７】
（４）他の実施の形態
本発明は、上記のような実施の形態に限定されるものではない。例えば、上記の実施の形態においては、調整値変更手段１２ｄによる調整値の変更は、揮発性メモリ１３を初期化することによって行っていたが、変更される調整値の値は、これに限定されるものではなく、平均的なユーザが好む値に変更されるように設定することも可能である。
【００３８】
また、上記の実施の形態においては、接続確認手段１２ｂ及び接続状態判定手段１２ｃによる接続状態の判定と、調整値変更手段１２ｄによる調整値の変更は、主電源の投入を契機として行われることとしているが、この主電源の投入とは、ユーザがコネクタによってセンターユニット１、ＣＤプレーヤ２、ＭＤプレーヤ３及び電源との接続を行った時、センターユニット１の電源スイッチを入れた時のいずれか一方、若しくは双方を意味する。
【００３９】
また、センターユニット１に接続される外部機器は、ＣＤプレーヤ２、ＭＤプレーヤ３には限定されず、他の音響機器、例えばカセットプレーヤ、アンプ、チューナ、テレビ等であってもよく、音響機器以外の電子機器、例えばナビゲーションシステム等であってもよい。また、接続される外部機器の数も自由に増減変更可能である。さらに、本発明の機能を実現するコンピュータプログラムを記録した記録媒体も本発明の一態様である。
【００４０】
【発明の効果】
以上のような本発明によれば、自己診断終了時における調整値を、初期設定に直す工程を省きつつ、次回の主電源投入時において、確実に初期設定が実現できる電子機器の調整値設定システム、その設定方法及びその設定用プログラムを記録した記録媒体を提供することができる。
【図面の簡単な説明】
【図１】本発明の電子機器の調整値設定システムの一つの実施の形態を示す機能ブロック図である。
【図２】図１の実施の形態における調整値設定の処理手順を示すフローチャートである。
【符号の説明】
１…センターユニット
２…ＣＤプレーヤ
３…ＭＤプレーヤ
４…バス
５…自己診断ユニット
６…主電源供給ライン
１０…バックアップ電池
１１…電源回路
１２…制御回路
１２ａ…調整値制御手段
１２ｂ…接続確認手段
１２ｃ…接続状態判定手段
１２ｄ…調整値変更手段
１２ｅ…抑止手段
１３…揮発性メモリ
１４…不揮発性メモリ
１５，２２，３２，５２…送受信部
１６…操作部
２０，３０，５０…制御回路
２１，３１，５１…識別番号記憶部
【図１】
0004136147.tif 000002
【図２】
0004136147.tif 000003